(57)【要約】【課題】使用者に超音波洗浄を行うタイミングを意識させることなく、キッチン用水栓からの吐水の開始と連動して封水形成部の超音波洗浄を開始させることができる排水システムを提供する。【解決手段】本発明の排水システムはキッチンのシンクに水を吐水するキッチン用水栓６と、キッチン用水栓から吐水される水を検知する検知部２０と、シンクの下流側に設けられると共に封水を形成する封水形成部８と、封水形成部内の水に超音波を発振する超音波発振器２２と、超音波発振器の発振を制御する制御装置２４と、を備え、制御装置２４は、検知部２０による吐水される水の検知と連動して、超音波発振器２２による発振を開始させ、キッチン用水栓６からの吐水の開始と超音波洗浄の開始とを連動させる。【選択図】図４
2020051040.tif 000002
【特許請求の範囲】
【請求項１】
水を排水する排水システムであって、
キッチンのシンクに水を吐水するキッチン用水栓と、
上記キッチン用水栓から吐水される水を検知する検知部と、
上記シンクの下流側に設けられると共に封水を形成する封水形成部と、
上記封水形成部内の水に超音波を発振する超音波発振器と、
上記超音波発振器の発振を制御する制御装置と、を備え、
上記制御装置は、上記検知部による吐水される水の検知と連動して、上記超音波発振器による発振を開始させ、上記キッチン用水栓からの吐水の開始と超音波洗浄の開始とを連動させることを特徴とする排水システム。
【請求項２】
水を排水する排水システムであって、
浴室の洗い場床に水を吐水する浴室用水栓と、
上記浴室用水栓から吐水される水を検知する検知部と、
上記洗い場床の下流側に設けられると共に封水を形成する封水形成部と、
上記封水形成部内の水に超音波を発振する超音波発振器と、
上記超音波発振器の発振を制御する制御装置と、を備え、
上記制御装置は、上記検知部による吐水される水の検知と連動して、上記超音波発振器による発振を開始させ、上記浴室用水栓からの吐水の開始と超音波洗浄の開始とを連動させることを特徴とする排水システム。
【請求項３】
水を排水する排水システムであって、
浴室の浴槽内に水を吐水する浴室用水栓と、
上記浴室用水栓から吐水される水を検知する検知部と、
上記浴槽の下流側に設けられると共に封水を形成する封水形成部と、
上記封水形成部内の水に超音波を発振する超音波発振器と、
上記超音波発振器の発振を制御する制御装置と、を備え、
上記制御装置は、上記検知部による吐水される水の検知と連動して、上記超音波発振器による発振を開始させ、上記浴室用水栓からの吐水の開始と超音波洗浄の開始とを連動させることを特徴とする排水システム。
【請求項４】
水を排水する排水システムであって、
洗面ボウルに水を吐水する洗面用水栓と、
上記洗面用水栓から吐水される水を検知する検知部と、
上記洗面ボウルの下流側に設けられると共に封水を形成する封水形成部と、
上記封水形成部内の水に超音波を発振する超音波発振器と、
上記超音波発振器の発振を制御する制御装置と、を備え、
上記制御装置は、上記検知部による吐水される水の検知と連動して、上記超音波発振器による発振を開始させ、上記洗面用水栓からの吐水の開始と超音波洗浄の開始とを連動させることを特徴とする排水システム。
【請求項５】
水を排水する排水システムであって、
水受け部に水を吐水する吐水部と、
上記吐水部から吐水される水を検知する検知部と、
上記水受け部の下流側に設けられると共に封水を形成する封水形成部と、
上記封水形成部内の水に超音波を発振する超音波発振器と、
上記超音波発振器の発振を制御する制御装置と、を備え、
上記制御装置は、上記検知部による吐水される水の検知と連動して、上記超音波発振器による発振を開始させ、上記吐水部からの吐水の開始と超音波洗浄の開始とを連動させることを特徴とする排水システム。
【請求項６】
上記封水形成部が、上記封水形成部内に水が流入する場合に上記封水形成部内の水位が封水水位に維持されるように形成される、請求項１乃至５の何れか１項に記載の排水システム。
【請求項７】
上記制御装置は、上記検知部により吐水される水が検知されている期間内において、上記超音波発振器による発振を行う、請求項６に記載の排水システム。
【請求項８】
さらに、上記封水形成部の上流側部分に複数の孔を有するごみ捕捉部材を備えている、請求項１乃至７の何れか１項に記載の排水システム。
【請求項９】
上記制御装置は、上記検知部による吐水される水の検知開始から所定水量以上の水が吐水される場合に、上記超音波発振器による発振を開始させる、請求項１乃至８の何れか１項に記載の排水システム。
【請求項１０】
上記制御装置は、上記検知部による吐水される水の検知開始から検知状態が所定時間継続している場合に、上記超音波発振器による発振を開始させる、請求項１乃至９の何れか１項に記載の排水システム。
【発明の詳細な説明】
【技術分野】
【０００１】
本発明は、排水システムに係り、特に、水を排水する排水システムに関する。
【背景技術】
【０００２】
従来、特許文献１に示すように、シンクの底面に設けられ且つ超音波発信器を備えている排水システムが知られている。この排水システムにおいては、使用者が排水システムの排水部の汚れを落とそうとする際、使用者は操作部のスイッチを入操作する。操作部の入操作により、排水部の排水弁が閉じられると共に給水弁が開かれて排水部内に水が給水される。排水部内に水が貯められた状態で超音波洗浄が行われ、排水部内の汚れが洗浄される。
【０００３】
また、特許文献２に示すように、シンクの底面に設けられ且つ超音波発信器を備えている排水システムが知られている。この排水システムにおいては、使用者が超音波洗浄を行う際、使用者は操作部の操作ボタンを押し、排水システムの排水孔を閉止させる。排水孔が閉じられた状態でシンクに水が流されると、水が排水システムの排水容器に溜められる。排水容器に水が貯められた状態で超音波洗浄が行われ、排水部内の汚れが洗浄される。
【先行技術文献】
【特許文献】
【０００４】
【特許文献１】特開２００４−３２４１０８号公報
【特許文献２】特開２００７−２８５０９７号公報
【発明の概要】
【発明が解決しようとする課題】
【０００５】
しかしながら、特許文献１及び２に示すような従来の排水システムでは、使用者が操作部のスイッチを操作して超音波洗浄を実行させる必要があった。すなわち、使用者が意識して操作部の操作を行わなければ排水部の超音波洗浄が実行されず、洗浄のたびに使用者に負担をかけるシステムとなっていた。
また、使用者が意識して操作部を操作して超音波洗浄を実行させることから、超音波洗浄用の水を排水部に別途供給する必要が生じていた。
さらに、特許文献１に示すように超音波洗浄用の水を排水部に別途供給するような専用の給水路を設ける場合には、装置構造が複雑化するという問題があった
【０００６】
そこで、本発明は、使用者に超音波洗浄を行うタイミングを意識させることなく、キッチン用水栓からの吐水の開始と連動して封水形成部の超音波洗浄を開始させることができる排水システムを提供することを目的としている。
【課題を解決するための手段】
【０００７】
上述した課題を解決するために、本発明は、水を排水する排水システムであって、キッチンのシンクに水を吐水するキッチン用水栓と、上記キッチン用水栓から吐水される水を検知する検知部と、上記シンクの下流側に設けられると共に封水を形成する封水形成部と、上記封水形成部内の水に超音波を発振する超音波発振器と、上記超音波発振器の発振を制御する制御装置と、を備え、上記制御装置は、上記検知部による吐水される水の検知と連動して、上記超音波発振器による発振を開始させ、上記キッチン用水栓からの吐水の開始と超音波洗浄の開始とを連動させる。
このように構成された本発明においては、制御装置は、検知部による吐水される水の検知と連動して、上記超音波発振器による発振を開始させ、キッチン用水栓からの吐水、例えば、食器洗浄、手洗い、シンクの清掃等のための吐水の開始と、超音波洗浄の開始とを連動させる。これにより、使用者に超音波洗浄を行うタイミングを意識させることなく、キッチン用水栓からの吐水の開始と連動して封水形成部の超音波洗浄を開始させることができる。また、制御装置は、キッチン用水栓からの吐水の開始と超音波洗浄の開始とを連動させるので、排水システムは、超音波洗浄用の水を封水形成部に別途供給しなくとも、キッチン用水栓からの吐水、例えば食器洗浄、手洗い、シンクの清掃等のための吐水等の通常の使用態様の吐水を利用して超音波洗浄を行うことができる。さらに、排水システムは、キッチン用水栓からの吐水により封水形成部に水を供給し封水形成部の超音波洗浄を行うことができるので、超音波洗浄用の水をキッチン用水栓以外の専用の給水路から封水形成部に別途供給するための専用の給水路を省略することができる。
【０００８】
本発明において、好ましくは、水を排水する排水システムであって、浴室の洗い場床に水を吐水する浴室用水栓と、上記浴室用水栓から吐水される水を検知する検知部と、上記洗い場床の下流側に設けられると共に封水を形成する封水形成部と、上記封水形成部内の水に超音波を発振する超音波発振器と、上記超音波発振器の発振を制御する制御装置と、を備え、上記制御装置は、上記検知部による吐水される水の検知と連動して、上記超音波発振器による発振を開始させ、上記浴室用水栓からの吐水の開始と超音波洗浄の開始とを連動させる。
このように構成された本発明においては、制御装置は、検知部による吐水される水の検知と連動して、超音波発振器による発振を開始させ、浴室用水栓からの吐水、例えば、身体洗い、浴室の清掃等のための吐水の開始と、超音波洗浄の開始とを連動させる。これにより、使用者に超音波洗浄を行うタイミングを意識させることなく、浴室用水栓からの吐水の開始と連動して封水形成部の超音波洗浄を開始させることができる。また、制御装置は、浴室用水栓からの吐水の開始と超音波洗浄の開始とを連動させるので、排水システムは、超音波洗浄用の水を封水形成部に別途供給しなくとも、浴室用水栓からの吐水、例えば身体洗い、浴室の清掃等のための吐水等の通常の使用態様の吐水を利用して超音波洗浄を行うことができる。さらに、排水システムは、浴室用水栓からの吐水により封水形成部に水を供給し封水形成部の超音波洗浄を行うことができるので、超音波洗浄用の水を浴室用水栓以外の専用の給水路から封水形成部に別途供給するための専用の給水路を省略することができる。
【０００９】
本発明において、好ましくは、水を排水する排水システムであって、浴室の浴槽内に水を吐水する浴室用水栓と、上記浴室用水栓から吐水される水を検知する検知部と、上記浴槽の下流側に設けられると共に封水を形成する封水形成部と、上記封水形成部内の水に超音波を発振する超音波発振器と、上記超音波発振器の発振を制御する制御装置と、を備え、上記制御装置は、上記検知部による吐水される水の検知と連動して、上記超音波発振器による発振を開始させ、上記浴室用水栓からの吐水の開始と超音波洗浄の開始とを連動させる。
このように構成された本発明においては、制御装置は、検知部による吐水される水の検知と連動して、超音波発振器による発振を開始させ、浴室用水栓からの吐水、例えば、浴槽の清掃、浴室の浴槽側の清掃等のための吐水の開始と、超音波洗浄の開始とを連動させる。これにより、使用者に超音波洗浄を行うタイミングを意識させることなく、浴室用水栓からの吐水の開始と連動して封水形成部の超音波洗浄を開始させることができる。また、制御装置は、浴室用水栓からの吐水の開始と超音波洗浄の開始とを連動させるので、排水システムは、超音波洗浄用の水を封水形成部に別途供給しなくとも、浴室用水栓からの吐水、例えば浴槽の清掃、浴室の浴槽側の清掃等のための吐水等の通常の使用態様の吐水を利用して超音波洗浄を行うことができる。さらに、排水システムは、浴室用水栓からの吐水により封水形成部に水を供給し封水形成部の超音波洗浄を行うことができるので、超音波洗浄用の水を浴室用水栓以外の専用の給水路から封水形成部に別途供給するための専用の給水路を省略することができる。
【００１０】
本発明において、好ましくは、水を排水する排水システムであって、洗面ボウルに水を吐水する洗面用水栓と、上記洗面用水栓から吐水される水を検知する検知部と、上記洗面ボウルの下流側に設けられると共に封水を形成する封水形成部と、上記封水形成部内の水に超音波を発振する超音波発振器と、上記超音波発振器の発振を制御する制御装置と、を備え、上記制御装置は、上記検知部による吐水される水の検知と連動して、上記超音波発振器による発振を開始させ、上記洗面用水栓からの吐水の開始と超音波洗浄の開始とを連動させる。
このように構成された本発明においては、制御装置は、検知部による吐水される水の検知と連動して、超音波発振器による発振を開始させ、洗面用水栓からの吐水、例えば、手洗い、洗顔、歯磨き、洗面ボウルの清掃等のための吐水の開始と、超音波洗浄の開始とを連動させる。これにより、使用者に超音波洗浄を行うタイミングを意識させることなく、洗面用水栓からの吐水の開始と連動して封水形成部の超音波洗浄を開始させることができる。また、制御装置は、洗面用水栓からの吐水の開始と超音波洗浄の開始とを連動させるので、排水システムは、超音波洗浄用の水を封水形成部に別途供給しなくとも、洗面用水栓からの吐水、例えば手洗い、洗顔、歯磨き、洗面ボウルの清掃等のための吐水等の通常の使用態様の吐水を利用して超音波洗浄を行うことができる。さらに、排水システムは、洗面用水栓からの吐水により封水形成部に水を供給し封水形成部の超音波洗浄を行うことができるので、超音波洗浄用の水を洗面用水栓以外の専用の給水路から封水形成部に別途供給するための専用の給水路を省略することができる。
【００１１】
本発明において、好ましくは、水を排水する排水システムであって、水受け部に水を吐水する吐水部と、上記吐水部から吐水される水を検知する検知部と、上記水受け部の下流側に設けられると共に封水を形成する封水形成部と、上記封水形成部内の水に超音波を発振する超音波発振器と、上記超音波発振器の発振を制御する制御装置と、を備え、上記制御装置は、上記検知部による吐水される水の検知と連動して、上記超音波発振器による発振を開始させ、上記吐水部からの吐水の開始と超音波洗浄の開始とを連動させる。
このように構成された本発明においては、制御装置は、検知部による吐水される水の検知と連動して、上記超音波発振器による発振を開始させ、吐水部からの吐水の開始と、超音波洗浄の開始とを連動させる。これにより、使用者に超音波洗浄を行うタイミングを意識させることなく、吐水部からの吐水の開始と連動して封水形成部の超音波洗浄を開始させることができる。また、制御装置は、吐水部からの吐水の開始と超音波洗浄の開始とを連動させるので、排水システムは、超音波洗浄用の水を封水形成部に別途供給しなくとも、吐水部からの吐水、例えば食器洗浄、手洗い、シンクの清掃等のための吐水等の通常の使用態様の吐水を利用して超音波洗浄を行うことができる。さらに、排水システムは、吐水部からの吐水により封水形成部に水を供給し封水形成部の超音波洗浄を行うことができるので、超音波洗浄用の水を吐水部以外の専用の給水路から封水形成部に別途供給するための専用の給水路を省略することができる。
【００１２】
本発明において、好ましくは、上記封水形成部が、上記封水形成部内に水が流入する場合に上記封水形成部内の水位が封水水位に維持されるように形成される。
このように構成された本発明においては、封水形成部が、封水形成部内に水が流入する場合に封水形成部内の水位を封水水位が維持されるように形成される。よって、制御装置は、封水形成部内に水が流入する場合に、封水形成部内の水位が概ね封水水位に維持されている状態において、超音波洗浄を実行させることができる。これにより、封水形成部内に水が流入する場合に封水形成部内の水位が上昇して、シンク、洗い場床、浴槽、洗面ボウル側まで汚れが逆流することを抑制することができる。
また、封水水位が上昇してしまう場合には、水の体積が増加することにより、超音波の伝播する距離が増加するため、超音波が減衰してしまう。しかし本発明の一態様においては、封水形成部内の水位が封水水位に維持されるので、封水形成部内の水位が上昇して超音波の適用される水の体積が増加する場合に比べて超音波の適用される水の体積が維持され、超音波洗浄の洗浄力が低下することを抑制することができる。
【００１３】
本発明において、好ましくは、上記制御装置は、上記超音波発振器による発振の開始から、上記検知部により吐水される水が検知されている期間内において、上記超音波発振器による発振を行う。
仮に水が封水形成部内に溜まり、水位が維持され、水の動きが静止しているような状態では、この水に超音波を発振しても超音波の節と腹の位置が固定されてしまうため、節と腹の場所に対応して超音波の洗浄力の強弱が固定され、洗浄ムラが発生してしまう。このように構成された本発明においては、制御装置は、上記超音波発振器による発振の開始から、上記検知部により吐水される水が検知されている期間内において、上記超音波発振器による発振を行う。このため、封水形成部内に水が流入している状態で超音波洗浄を行うこととなり、封水形成部内の水位が概ね封水水位に維持されている状態において超音波洗浄を行ったとしても、封水形成部内の水面に波立たせるような動きを生じさせることができる。よって、水面によって拡散される超音波の方向を変化させることができ、超音波洗浄の洗浄力及び洗浄結果が位置によって不揃いとなる、上述の洗浄ムラの発生を抑制することができる。また、封水形成部内の水面にわずかに波立たせるような動きを生じさせるので、封水形成部内の封水面近傍の汚れを落としやすくできる。さらに、封水形成部に水が流れている状態で超音波洗浄を行うため、超音波洗浄により封水形成部から引き剥がした汚れを下流側へと排水することができ、汚れが封水形成部に再付着することを抑制できる。さらに、吐水中に超音波発振器による発振を行うため、超音波発振器によるキャビテーションノイズから吐水中の吐水音に使用者の意識をそらしやすくすることができ、キャビテーションノイズを使用者に気にさせにくくすることができる。
【００１４】
本発明において、好ましくは、さらに、上記封水形成部の上流側部分に複数の孔を有するごみ捕捉部材を備えている。
このように構成された本発明においては、比較的多量の水が封水形成部内に流入される場合に、複数の孔を有するごみ捕捉部材（例えばキッチンであれば網かご）が流体抵抗として働くため、封水形成部より上流側に流れ込む水が滞留しやすくなるため、封水形成部内への一時的な水の流入量が抑制され、上記封水形成部内の水位の一時的な上昇を抑制することができる。従って、比較的多量の水が封水形成部内に流入される場合においても、封水形成部内の水位が封水水位に維持されやすくなる。このため、封水形成部内の水位が上昇して超音波の適用される水の体積が拡大する場合に比べ、超音波の適用される水の体積が維持されやすく、超音波洗浄の洗浄力が低下することをより抑制することができる。
【００１５】
本発明において、好ましくは、上記制御装置は、上記検知部による吐水される水の検知開始から所定水量以上の水が吐水される場合に、上記超音波発振器による発振を開始させる。
このように構成された本発明においては、制御装置は、上記検知部による吐水される水の検知開始から所定水量以上の水が吐水される場合に、上記超音波発振器による発振を開始させるので、吐水される水が所定水量より少ないことにより、超音波洗浄を行って落とした汚れが、封水形成部から排出されずに、封水形成部内に再付着することを抑制することができる。
【００１６】
本発明において、好ましくは、上記制御装置は、上記検知部による吐水される水の検知開始から検知状態が所定時間継続している場合に、上記超音波発振器による発振を開始させる。
このように構成された本発明においては、制御装置は、上記検知部による吐水される水の検知開始から検知状態が所定時間継続している場合に、上記超音波発振器による発振を開始させるので、吐水された水が封水形成部に到達するまで待機した後、超音波発振器による発振を開始させることができる。よって、封水形成部内に水が流入する場合に封水形成部を超音波洗浄することができ、汚れを効率よく洗浄し且つ排出させることができる。
【発明の効果】
【００１７】
本発明の排水システムによれば、使用者に超音波洗浄を行うタイミングを意識させることなく、キッチン用水栓や浴室用水栓、洗面用水栓等の吐水部からの吐水の開始と連動して封水形成部の超音波洗浄を開始させることができる。
【図面の簡単な説明】
【００１８】
【図１】本発明の第１実施形態による排水システムを正面から見た正面図である。
【図２】図１のＩＩ−ＩＩ線に沿って見た断面図である。
【図３】本発明の第１実施形態による排水システムの構造を概略的に示すブロック図である。
【図４】本発明の第１実施形態による排水システムにおける制御内容を示すフローチャートである。
【図５】本発明の第２実施形態による排水システムを備えた浴室の斜視図である。
【図６】図５のＶＩ−ＶＩ線に沿って見た浴室の床面近傍部分の部分拡大断面図である。
【図７】本発明の第３実施形態による排水システムを備えた浴室の斜視図である。
【図８】図７のＶＩＩＩ−ＶＩＩＩ線に沿って見た浴室の浴槽の床面近傍部分の部分拡大断面図である。
【図９】本発明の第４実施形態による排水システムを備えた洗面用水栓装置の斜視図である。
【図１０】図９のＸ−Ｘ線に沿って見た洗面用水栓装置の洗面ボウルの床面近傍部分の部分拡大断面図である。
【発明を実施するための形態】
【００１９】
以下では、本明細書に開示する本発明の実施の形態について、図面を用いて詳細に説明する。以下の説明から、当業者にとって、本発明の多くの改良や他の実施の形態が明らかである。従って、以下の説明は、例示としてのみ解釈されるべきであり、本発明を実行する最良の態様を当業者に教示する目的で提供されたものである。本発明の精神を逸脱することなく、その構造及び／又は機能の詳細を実質的に変更することができる。
【００２０】
以下、添付図面を参照して本発明の第１実施形態による排水システムについて説明する。
図１は本発明の第１実施形態による排水システムを正面から見た正面図であり、図２は図１のＩＩ−ＩＩ線に沿って見た断面図であり、図３は本発明の第１実施形態による排水システムの構造を概略的に示すブロック図である。
図１及び図２に示すように、本発明の第１実施形態による排水システム１は、キッチン２に設けられ、超音波洗浄を行うシステムである。排水システム１は、水を排水する他のシステムに適用することができる。
【００２１】
排水システム１は、キッチン２に設けられた水受け部であるシンク４と、このシンク４に水（湯水）を吐水するキッチン用水栓であるキッチン用水栓装置（吐水部）６と、シンク４の底部４ａから下方に延びる封水形成部８とを備えている。
シンク４は水受け部として機能する。シンク４は、キッチン用水栓装置６から吐水された水を下流側に排出するように形成される。
キッチン用水栓装置６は、上流側において、給水源（図示せず）から水が供給される水給水路１０及び、湯が供給される湯給水路１２に接続される。キッチン用水栓装置６は、湯水混合栓６ａを備え、水給水路１０からの水と、湯給水路１２からの湯とを混合し、吐水部６ｂから吐水させる。水給水路１０及び湯給水路１２は、一旦上昇して湯水混合栓６ａに接続され、湯水混合栓６ａの下流側の吐水側流路６ｃが湯水混合栓６ａから下方側に延び、後述する流量センサ２０を通り、吐水部６ｂまで再び上昇して延びている。
【００２２】
図２に示すように、封水形成部８は、シンク４の下流側に設けられると共に封水を形成するように構成される。封水形成部８は、シンク４側に開口される入口部１４と、入口部１４の下流側に設けられる排水トラップ流路１６とを備えている。入口部１４は、底部４ａの一部が底面４ｂよりも下方に窪むことにより形成されている。
【００２３】
排水トラップ流路１６は、入口部１４の下方に接続される接続部１６ａと、排水トラップを形成するように下流側に向けて斜め上方に上昇する上昇部１６ｂと、上昇部１６ｂと下降部１６ｄとの間における折り返し部分である頂部１６ｃと、頂部１６ｃから下降する下降部１６ｄとを備えている。下降部１６ｄは出口流路１８と接続される。排水トラップ流路１６は、トラップ形状の流路を形成し、その頂部１６ｃにより封水水位Ｗ０を規定する。封水形成部８は、封水形成部８内に水が流入する場合には頂部１６ｃを超える水が下流側に排出されるので、封水形成部８内に水が流入する場合に封水形成部８内の水位が封水水位Ｗ０に維持されるように形成される。
【００２４】
封水形成部８内に流入する水には、洗剤、食器の汚れ、シンクの汚れ等のいずれかを含むような水、例えば生活排水も含まれる。出口流路１８は、下降部１６ｄから鉛直方向下方に延びている。出口流路１８は、さらに下流側の排水配管（図示せず）に接続される。出口流路１８は、その一部が封水形成部８によって形成されていてもよい。
【００２５】
排水システム１は、さらに、キッチン用水栓装置６から吐水される水を検知する検知部である流量センサ２０と、封水形成部８内の水に超音波を発振する超音波発振器２２と、超音波発振器２２の作動を制御する制御装置２４と、封水形成部８内の流路上に設けられ且つ網目を有する網かご２６（複数の孔を有するごみ捕捉部材）と、網かご２６の下方に設けられる封水筒２８とを備えている。
【００２６】
流量センサ２０は、キッチン用水栓装置６の湯水混合栓６ａよりも下流側に設けられ、且つ湯水混合栓６ａと吐水部６ｂとの間の供給流路内に設けられる。流量センサ２０は、キッチン用水栓装置６の吐水部６ｂから吐水される水の単位時間あたりの流量を検知できる。また、流量センサ２０は、単位時間あたりの流量を検知することにより、吐水部６ｂから吐水がなされることを検知できる。よって、流量センサ２０は、キッチン用水栓装置６から供給される水流を検知し、キッチン用水栓装置６からの水の供給を検知できる。流量センサ２０は、制御装置２４と電気的に接続されている。吐水される水は、吐水部６ｂから吐水される前の水、吐水された後の水を含む。すなわち、検知部として流量センサ２０に代わり水位センサを封水形成部８内に設けることにより吐水部６ｂから吐水される水を検知してもよい。このとき水位センサにフロート式の水位センサを用いる場合には、フロート式のセンサにより水位及び水位変化（供給水量）を検出できる。また、水位センサに電極式の水位センサを用いる場合には、水位センサを複数の水位に分けて配置することにより水位及び水位変化（供給水量）を検出できる。なお、水位センサを単独で設け、吐水される水を検知してもよい。
【００２７】
超音波発振器２２は、封水形成部８内の入口部１４の下方に設けられている。超音波発振器２２は、封水水位Ｗ０より下方に配置される。超音波発振器２２は、上方に向けて超音波を発振するように配置されている。超音波発振器２２は、発振中の発振周波数を一定に維持している。超音波発振器２２は、制御装置２４と電気的に接続されている。
【００２８】
制御装置２４は、ＣＰＵ及びメモリ等を内蔵し、流量センサ２０から送信される検知信号を受信する機能を有すると共にメモリに記憶された所定の制御プログラム等に基づいて超音波発振器２２の動作を制御する。制御装置２４は、超音波発振器２２による超音波の発振及び発振の停止を制御する。制御装置２４は、流量センサ２０による吐水される水の検知と連動して、超音波発振器２２による発振を開始させる超音波洗浄モードを備え、この超音波洗浄モードにより、キッチン用水栓装置６からの吐水の開始と超音波洗浄の開始とを連動させることができる。このとき、キッチン用水栓装置６からの吐水の開始に起因して超音波洗浄が開始される。
【００２９】
網かご２６は、封水形成部８の上流側部分に配置されている。網かご２６はごみ捕捉部材であり、複数の孔を有している。網かご２６は、入口部１４の下方側の流路全体を覆うように形成される。網かご２６は、底部４ａの下方に窪んだ窪みの内部に配置される。網かご２６の上端は入口部１４に配置されている。網かご２６は、水を通過させる一方、ごみ等の小物体を通過させずに網かご２６内に留めるようになっている。
封水筒２８は、筒状に形成され、網かご２６の下部近傍からさらに下方の封水形成部８の底部近傍まで延びている。
【００３０】
次に、図２乃至図４により、上述した本発明の第１実施形態による排水システムの動作（作用）を説明する。
図４は本発明の一実施形態による排水システムにおける制御内容を示すフローチャートである。図４において、Ｓは各ステップを示している。
【００３１】
図４に示すように、処理のスタート時において、キッチン用水栓装置６は、吐水がなされる前の待機状態となっている。封水形成部８内においては水が封水水位Ｗ０（図２参照）に貯留された状態となっている。
最初に、Ｓ１において、制御装置２４は、流量センサ２０による吐水される水の検知がなされたか否かを判定する。
流量センサ２０による吐水される水の検知がなされた場合には、制御装置２４は、キッチン用水栓装置６の吐水部６ｂからの吐水が開始されたと判断できるので、Ｓ２に進む。
流量センサ２０による吐水される水の検知がなされていない場合には、制御装置２４は、キッチン用水栓装置６の吐水部６ｂからの吐水が終了した又は停止状態のままであると判断できるので、Ｓ７に進む。
【００３２】
次に、Ｓ２において、制御装置２４は、流量センサ２０による吐水される水の検知の開始から検知状態のまま所定時間Ｔが経過したか否かを判定する。
吐水される水の検知の開始から所定時間Ｔが経過した場合には、制御装置２４は、吐水部６ｂから吐水された水が封水形成部８に到達し、封水形成部８に水が流入しながら封水形成部８をより効果的に洗浄できる状態となったと判断できるので、Ｓ３に進む。制御装置２４は、流量センサ２０による吐水される水の検知開始から検知状態が所定時間Ｔ継続している場合に、超音波発振器２２による発振を開始させる予定で次の判定を行う。
水の検知の開始から所定時間Ｔが経過していない場合には、制御装置２４は、吐水部６ｂから吐水された水が封水形成部８に到達しておらず、封水形成部８には未だ水が流入していない状態であると判断できるので、Ｓ１に戻る。
【００３３】
次に、Ｓ３において、制御装置２４は、流量センサ２０による吐水される水の検知の開始から検知状態のまま所定水量Ａ以上の水が吐水されたか否かを判定する。
所定水量Ａ以上の水が吐水された場合には、制御装置２４は、封水形成部８に水を供給しながら超音波洗浄を効果的に行える状態となっており、また、吐水される水が所定水量より少ないことにより、超音波洗浄を行って落とした汚れが、封水形成部から排出されにくくなり、さらに超音波洗浄により封水形成部８から剥がれた汚れが封水形成部に再付着することを抑制できると判断できるので、Ｓ４に進む。よって、制御装置２４は、所定水量Ａ以上の水が吐水される場合に、超音波発振器２２による発振を開始させる。
所定水量Ａ以上の水が吐水されていない場合には、制御装置２４は、封水形成部８に水を供給しながら超音波洗浄を効果的に行えるほどまでは水が供給されていない状態であると判断できるので、Ｓ１に戻る。
なお、変形例として、Ｓ３において、制御装置２４は、所定水量Ａに代えて所定流量とし、所定流量以上の水が吐水されているか否かを判定してもよい。所定流量より少ない水が吐水されている場合には、制御装置２４は、超音波発振器２２による発振を抑制するため、Ｓ１に戻る。
なお、ここではＳ２とＳ３とはこの順のフローとして示したが、ステップを入れ替えても同等の効果を奏する。
【００３４】
次に、Ｓ４において、制御装置２４は、吐水される水の検知の開始から流量センサ２０により吐水される水が検知されている間のうち所定期間である所定期間Ｕが経過していないか否かを判定する。
所定期間Ｕが経過していない場合には、超音波発振器２２の連続的な作動による耐久性の低下が比較的小さく且つ超音波発振器２２による超音波の発振により超音波洗浄を効果的に行えると判断できるので、Ｓ６に進む。Ｓ４に進む前に、既にＳ６を経由した処理が実行されていることにより超音波発振器２２による超音波の発振が開始されている場合には、所定期間Ｕまでは超音波の発振が継続されることになる。
所定期間Ｕが経過している場合には、超音波発振器２２の作動を停止して、超音波発振器２２の連続的な作動による耐久性の低下を防ぐことが有効であると判断できるので、Ｓ５に進む。
【００３５】
Ｓ５においては、制御装置２４は、吐水される水の検知の開始から所定期間Ｕが経過するような連続的な使用においては、超音波発振器２２の連続的な作動による耐久性の低下を防ぐため、超音波発振器２２による超音波の発振を停止させる又は停止させたままとする。制御装置２４は、Ｓ５の実行後、Ｓ１に戻る。
【００３６】
一方Ｓ６においては、制御装置２４は、超音波発振器２２により超音波を発振させる。制御装置２４は、続いて、Ｓ１に戻る。制御装置２４は、流量センサ２０による吐水される水の検知がなされ且つ所定期間Ｕが経過するまでは、Ｓ１、Ｓ２、Ｓ３、Ｓ４及びＳ６の判定及び処理を繰り返している。制御装置２４は、流量センサ２０による水の検知がなされた状態で所定期間Ｕが経過すると、Ｓ１、Ｓ２、Ｓ３、Ｓ４及びＳ５の判定及び処理を繰り返し、超音波の発振を停止させている。
【００３７】
Ｓ１においてキッチン用水栓装置６からの吐水が終了されると、Ｓ７に進む。
Ｓ７において、制御装置２４は、超音波発振器２２により超音波が発振されているか否かを判定する。
超音波発振器２２により超音波が発振されている場合には、制御装置２４は、キッチン用水栓装置６からの吐水の停止に伴い、超音波発振器２２の耐久性を低下させにくくするため、超音波発振器２２を停止させることが有効であると判断できるので、Ｓ８に進む。
超音波発振器２２により超音波が発振されていない場合には、制御装置２４は、キッチン用水栓装置６からの吐水が停止されており、超音波発振器２２も停止された待機状態であると判断できるので、リターンに進み、Ｓ１に戻る。
【００３８】
次に、Ｓ８において、制御装置２４は、超音波発振器２２による超音波の発振を停止させる。制御装置２４は、Ｓ８の実行後、リターンに進み、Ｓ１に戻る。
【００３９】
上述した本発明の第１実施形態による排水システム１によれば、制御装置２４は、流量センサ２０による吐水される水の検知と連動して、超音波発振器２２による発振を開始させ、キッチン用水栓装置６からの吐水、例えば、食器洗浄、手洗い、シンクの清掃等のための吐水の開始と、超音波洗浄の開始とを連動させる。これにより、使用者に超音波洗浄を行うタイミングを意識させることなく、キッチン用水栓装置６からの吐水の開始と連動して封水形成部８の超音波洗浄を開始させることができる。また、制御装置２４は、キッチン用水栓装置６からの吐水の開始と超音波洗浄の開始とを連動させるので、排水システム１は、超音波洗浄用の水を封水形成部８に別途供給しなくとも、キッチン用水栓装置６からの吐水、例えば食器洗浄、手洗い、シンクの清掃等のための吐水等の通常の使用態様の吐水を利用して超音波洗浄を行うことができる。さらに、排水システム１は、キッチン用水栓装置６からの吐水により封水形成部８に水を供給し封水形成部８の超音波洗浄を行うことができるので、超音波洗浄用の水をキッチン用水栓装置６以外の専用の給水路から封水形成部８に別途供給するための専用の給水路を省略することができる。
【００４０】
また、本発明の第１実施形態による排水システム１によれば、制御装置２４は、流量センサ２０による吐水される水の検知と連動して、超音波発振器２２による発振を開始させ、水を吐水する吐水部からの吐水の開始と、超音波洗浄の開始とを連動させる。これにより、使用者に超音波洗浄を行うタイミングを意識させることなく、吐水部からの吐水の開始と連動して封水形成部８の超音波洗浄を開始させることができる。また、制御装置２４は、吐水部からの吐水の開始と超音波洗浄の開始とを連動させるので、排水システム１は、超音波洗浄用の水を封水形成部８に別途供給しなくとも、吐水部からの吐水、例えば食器洗浄、手洗い、シンクの清掃等のための吐水等の通常の使用態様の吐水を利用して超音波洗浄を行うことができる。さらに、排水システム１は、吐水部６ｂからの吐水により封水形成部８に水を供給し封水形成部８の超音波洗浄を行うことができるので、超音波洗浄用の水を吐水部以外の専用の給水路から封水形成部８に別途供給するための専用の給水路を省略することができる。
【００４１】
さらに、本発明の第１実施形態による排水システム１によれば、封水形成部８が、封水形成部８内に水が流入する場合に封水形成部８内の水位が封水水位Ｗ０に維持されるように形成される。よって、制御装置２４は、封水形成部８内に水が流入する場合に、封水形成部８内の水位が概ね封水水位Ｗ０に維持されている状態において、超音波洗浄を実行させることができる。これにより、封水形成部８内に水が流入する場合に封水形成部８内の水位が上昇して、シンク、洗い場床、浴槽、洗面ボウル側まで汚れが逆流することを抑制することができる。また、封水水位Ｗ０が上昇してしまう場合には、水の体積が増加することにより、超音波の伝播する距離が増加するため、超音波が減衰してしまう。しかし本実施形態においては、封水形成部８内の水位が封水水位Ｗ０に維持されるので、封水形成部８内の水位が上昇して超音波の適用される水の体積が増加する場合に比べて超音波の適用される水の体積が維持され、超音波洗浄の洗浄力が低下することを抑制することができる。
【００４２】
仮に水が封水形成部８内に溜まり、水位が維持され、水の動きが静止しているような状態では、この水に超音波を発振しても超音波の節と腹の位置が固定されてしまうため、節と腹の場所に対応して超音波の洗浄力の強弱が固定され、洗浄ムラが発生してしまう。
さらに、本発明の第１実施形態による排水システム１によれば、制御装置２４は、超音波発振器２２による発振の開始から、流量センサ２０により吐水される水が検知されている期間内において、超音波発振器２２による発振を行う。このため、封水形成部８内に水が流入している状態で超音波洗浄を行うこととなり、封水形成部８内の水位が概ね封水水位Ｗ０に維持されている状態において超音波洗浄を行ったとしても、封水形成部８内の水面に波立たせるような動きを生じさせることができる。よって、水面によって拡散される超音波の方向を変化させることができ、超音波洗浄の洗浄力及び洗浄結果が位置によって不揃いとなる、上述の洗浄ムラの発生を抑制することができる。また、封水形成部８内の水面にわずかに波立たせるような動きを生じさせるので、封水形成部８内の封水面近傍の汚れを落としやすくできる。さらに、封水形成部８に水が流れている状態で超音波洗浄を行うため、超音波洗浄により封水形成部８から引き剥がした汚れを下流側へと排水することができ、汚れが封水形成部８に再付着することを抑制できる。さらに、吐水中に超音波発振器２２による発振を行うため、超音波発振器２２によるキャビテーションノイズから吐水中の吐水音に使用者の意識をそらしやすくすることができ、キャビテーションノイズを使用者に気にさせにくくすることができる。
【００４３】
さらに、本発明の第１実施形態による排水システム１によれば、比較的多量の水が封水形成部８内に流入される場合に、複数の孔を有するごみ捕捉部材（例えばキッチンであれば網かご２６）が流体抵抗として働くため、封水形成部８より上流側に流れ込む水が滞留しやすくなるため、封水形成部８内への一時的な水の流入量が抑制され、封水形成部８内の水位の一時的な上昇を抑制することができる。従って、比較的多量の水が封水形成部８内に流入される場合においても、封水形成部８内の水位が封水水位Ｗ０に維持されやすくなる。このため、封水形成部８内の水位が上昇して超音波の適用される水の体積が拡大する場合に比べ、超音波の適用される水の体積が維持されやすく、超音波洗浄の洗浄力が低下することをより抑制することができる。
【００４４】
さらに、本発明の第１実施形態による排水システム１によれば、制御装置２４は、流量センサ２０による吐水される水の検知開始から所定水量以上の水が吐水される場合に、超音波発振器２２による発振を開始させるので、吐水される水が所定水量より少ないことにより、超音波洗浄を行って落とした汚れが、封水形成部８から排出されずに、封水形成部８内に再付着することを抑制することができる。
【００４５】
さらに、本発明の第１実施形態による排水システム１によれば、制御装置２４は、流量センサ２０による吐水される水の検知開始から検知状態が所定時間継続している場合に、超音波発振器２２による発振を開始させるので、吐水された水が封水形成部８に到達するまで待機した後、超音波発振器２２による発振を開始させることができる。よって、封水形成部８内に水が流入する場合に封水形成部８を超音波洗浄することができ、汚れを効率よく洗浄し且つ排出させることができる。
【００４６】
次に、図５及び図６により、本発明の第２実施形態による排水システムを説明する。第２実施形態は、本発明による排水システムを浴室の洗い場床に適用した例である。図５は本発明の第２実施形態による排水システムを備えた浴室の斜視図である。図６は図５のＶＩ−ＶＩ線に沿って見た浴室の床面近傍部分の部分拡大断面図である。
【００４７】
第２実施形態による排水システム１０１は、上述した第１実施形態による排水システム１と基本構造が類似しているため、本発明の第２実施形態の第１実施形態とは異なる点のみを説明し、同様な部分については図面に同じ参照符号を付して説明を省略する。本発明の第２実施形態による排水システム１０１の動作（作用）については、第１実施形態による排水システム１の動作（作用）と同様であるので説明を省略する。
【００４８】
排水システム１０１は、浴室１０２に設けられた水受け部である洗い場床１０４と、浴室１０２に設けられた水受け部である浴槽１０５と、洗い場床１０４に水（湯水）を吐水する浴室用水栓装置（浴室用水栓）である洗い場側水栓装置（吐水部）１０６と、浴槽１０５に水（湯水）を吐水する浴室用水栓装置（浴室用水栓）であるシャワー水栓装置１０７と、浴槽１０５に水（湯水）を吐水する供給装置である浴槽側水栓装置１０９と、洗い場床１０４の底部１０４ａから下方に延びる封水形成部１０８とを備えている。洗い場床１０４は、洗い場側水栓装置１０６及び／又はシャワー水栓装置１０７から吐水された水を下流側に排出するように形成される。
【００４９】
洗い場側水栓装置１０６及びシャワー水栓装置１０７は、上流側において、給水源（図示せず）から水が供給される水給水路１０及び、湯が供給される湯給水路１２に接続される。洗い場側水栓装置１０６及びシャワー水栓装置１０７は、湯水混合部である湯水混合栓６ａを備え、水給水路１０からの水と、湯給水路１２からの湯とを湯水混合栓６ａにおいて混合し、吐水部１０６ｂ、１０７ｂから吐水させる。水給水路１０及び湯給水路１２は、湯水混合栓６ａに接続され、吐水側流路６ｃが湯水混合栓６ａから下流側に延び、後述する流量センサ２０を通り、吐水部１０６ｂ、１０７ｂまで延びている。吐水部１０６ｂ、１０７ｂは、ぞれぞれ、水を洗い場床１０４の上方の空間に吐水する。洗い場側水栓装置１０６、シャワー水栓装置１０７は、それぞれ、洗い場床１０４を介して、封水形成部１０８に水を供給する。
【００５０】
図６に示すように、封水形成部１０８は、洗い場床１０４の下流側に設けられると共に封水を形成するように構成される。封水形成部１０８は、洗い場床１０４側に開口される入口部１１４と、入口部１１４の下流側に設けられる排水トラップ流路１１６とを備えている。入口部１１４は、底部１０４ａの一部が下方に窪むことにより形成されている。
【００５１】
排水トラップ流路１１６は、入口部１１４の下方に接続される接続部１１６ａと、排水トラップを形成するように下流側に向けて斜め上方に上昇する上昇部１１６ｂと、上昇部１１６ｂと下降部１１６ｄとの間における折り返し部分である頂部１１６ｃと、頂部１１６ｃから下降する下降部１１６ｄとを備えている。下降部１１６ｄは出口流路１１８と接続される。排水トラップ流路１１６は、トラップ形状の流路を形成し、その頂部１１６ｃにより封水水位Ｗ０を規定する。封水形成部１０８は、封水形成部１０８内に水が流入する場合には頂部１１６ｃを超える水が下流側に排出されるので、封水形成部１０８内に水が流入する場合に封水形成部１０８内の水位を封水水位Ｗ０に維持させようとするように形成される。
【００５２】
封水形成部１０８内に流入する水には、洗剤、シャンプー、ボディーソープ、体の汚れ、毛髪、洗い場の汚れ等のいずれかを含むような水、例えば生活排水も含まれる。出口流路１１８は、下降部１１６ｄから横向きに延びている。出口流路１１８は、さらに下流側の排水配管（図示せず）に接続される。出口流路１１８は、その一部が封水形成部１０８によって形成されていてもよい。
【００５３】
排水システム１０１は、さらに、洗い場側水栓装置１０６及び／又はシャワー水栓装置１０７から吐水される水を検知する検知部である流量センサ２０と、封水形成部１０８内の水に超音波を発振する超音波発振器２２と、超音波発振器２２の作動を制御する制御装置２４と、封水形成部１０８内の流路上に設けられ且つ網目を有する網かご（複数の孔を有するごみ捕捉部材。図示せず）と、網かご（図示せず）の下方に設けられる封水筒２８とを備えている。
【００５４】
流量センサ２０は、洗い場側水栓装置１０６及び／又はシャワー水栓装置１０７の湯水混合栓６ａよりも下流側に設けられ、湯水混合栓６ａと吐水部１０６ｂとの間に設けられる。流量センサ２０は、洗い場側水栓装置１０６及び／又はシャワー水栓装置１０７の吐水部１０６ｂ、１０７ｂから吐水される水の単位時間あたりの流量を検知できる。また、流量センサ２０は、単位時間あたりの流量を検知することにより、吐水部１０６ｂ、１０７ｂから吐水がなされることを検知できる。よって、流量センサ２０は、洗い場側水栓装置１０６及び／又はシャワー水栓装置１０７から供給される水流を検知し、洗い場側水栓装置１０６及び／又はシャワー水栓装置１０７からの水の供給を検知できる。流量センサ２０は、制御装置２４と電気的に接続されている。
超音波発振器２２は、封水形成部１０８内の入口部１１４の下方に設けられている。超音波発振器２２は、封水水位Ｗ０より下方に配置される。超音波発振器２２は、上方に向けて超音波を発振するように配置されている。超音波発振器２２は、発振中の発振周波数を一定に維持している。超音波発振器２２は、制御装置２４と電気的に接続されている。
【００５５】
制御装置２４は、超音波洗浄モードにより、洗い場側水栓装置１０６及び／又はシャワー水栓装置１０７からの吐水の開始と超音波洗浄の開始とを連動させることができる。
【００５６】
網かご（図示せず）は、封水形成部１０８の上流側部分に配置されている。網かご（図示せず）はごみ捕捉部材であり、複数の孔を有している。網かご（図示せず）は、入口部１１４の下方側の流路全体を覆うように形成される。網かご（図示せず）の上端は入口部１１４に配置されている。網かご（図示せず）は、水を通過させる一方、ごみ等の小物体を通過させずに内部に留めるようになっている。
【００５７】
上述した本発明の第２実施形態による排水システム１０１によれば、制御装置２４は、流量センサ２０による吐水される水の検知と連動して、超音波発振器２２による発振を開始させ、洗い場側水栓装置１０６及び／又はシャワー水栓装置１０７からの吐水、例えば、身体洗い、浴室の清掃等のための吐水の開始と、超音波洗浄の開始とを連動させる。これにより、使用者に超音波洗浄を行うタイミングを意識させることなく、洗い場側水栓装置１０６及び／又はシャワー水栓装置１０７からの吐水の開始と連動して封水形成部８の超音波洗浄を開始させることができる。また、制御装置２４は、浴室用水栓からの吐水の開始と超音波洗浄の開始とを連動させるので、排水システム１０１は、超音波洗浄用の水を封水形成部８に別途供給しなくとも、浴室用水栓からの吐水、例えば身体洗い、浴室の清掃等のための吐水等の通常の使用態様の吐水を利用して超音波洗浄を行うことができる。さらに、排水システム１０１は、浴室用水栓からの吐水により封水形成部８に水を供給し封水形成部８の超音波洗浄を行うことができるので、超音波洗浄用の水を浴室用水栓以外の専用の給水路から封水形成部８に別途供給するための専用の給水路を省略することができる。
【００５８】
次に、図７及び図８により、本発明の第３実施形態による排水システムを説明する。第３実施形態は、本発明による排水システムを浴室の浴槽に適用した例である。図７は本発明の第３実施形態による排水システムを備えた浴室の斜視図である。図８は図７のＶＩＩＩ−ＶＩＩＩ線に沿って見た浴室の浴槽の床面近傍部分の部分拡大断面図である。
【００５９】
第３実施形態による排水システム２０１は、上述した第２実施形態による排水システム１０１とほぼ同様の構造を有する部分があるため、本発明の第３実施形態の第２実施形態とは異なる点のみを説明し、同様な部分については図面に同じ参照符号を付して説明を省略する。本発明の第３実施形態による排水システム２０１の動作（作用）については、第１実施形態による排水システム１の動作（作用）と同様であるので説明を省略する。
【００６０】
排水システム２０１は、浴槽１０５の底部１０５ａから下方に延びる封水形成部２０８を備えている。浴槽１０５は、洗い場側水栓装置１０６及び／又はシャワー水栓装置１０７から吐水された水を下流側に排出するように形成される。
【００６１】
浴槽側水栓装置１０９は、上流側において、給水源（図示せず）から水が供給される水給水路１０及び、湯が供給される湯給水路１２に接続される。浴槽側水栓装置１０９は、湯水混合部である湯水混合栓６ａを備え、水給水路１０からの水と、湯給水路１２からの湯とを湯水混合栓６ａにおいて混合し、浴槽１０５に吐水する吐水部２０６ｂから吐水させる。水給水路１０及び湯給水路１２は、湯水混合栓６ａに接続され、吐水側流路６ｃが湯水混合栓６ａから延び、後述する流量センサ２０を通り、吐水部２０６ｂまで延びている。浴槽側水栓装置１０９の吐水部２０６ｂ及びシャワー水栓装置１０７の吐水部１０７ｂは、水を浴槽１０５の上方の空間に吐水する。浴槽側水栓装置１０９、シャワー水栓装置１０７は、それぞれ、浴槽１０５を介して、封水形成部２０８に水を供給する。
【００６２】
図８に示すように、封水形成部２０８は、浴槽１０５の下流側に設けられると共に封水を形成するように構成される。封水形成部２０８は、浴槽１０５側に開口される入口部２１４と、入口部２１４の下流側に設けられる排水トラップ流路２１６とを備えている。入口部２１４は、底部１０５ａの一部が下方に窪むことにより形成されている。
【００６３】
排水トラップ流路２１６は、入口部２１４の下方に接続される接続部２１６ａと、排水トラップを形成するように下流側に向けて斜め上方に上昇する上昇部２１６ｂと、上昇部２１６ｂと下降部２１６ｄとの間における折り返し部分である頂部２１６ｃと、頂部２１６ｃから下降する下降部２１６ｄとを備えている。下降部２１６ｄは出口流路１１８と接続される。排水トラップ流路２１６は、トラップ形状の流路を形成し、その頂部２１６ｃにより封水水位Ｗ０を規定する。封水形成部２０８は、封水形成部２０８内に水が流入する場合には頂部２１６ｃを超える水が下流側に排出されるので、封水形成部２０８内に水が流入する場合に封水形成部２０８内の水位を封水水位Ｗ０に維持させようとするように形成される。
【００６４】
封水形成部２０８内に流入する水には、洗剤、シャンプー、ボディーソープ、体の汚れ、毛髪、浴槽の汚れ等のいずれかを含むような水、例えば生活排水も含まれる。出口流路１１８は、下降部２１６ｄから横向きに延びている。出口流路１１８は、さらに下流側の排水配管（図示せず）に接続される。出口流路１１８は、その一部が封水形成部２０８によって形成されていてもよい。
【００６５】
排水システム２０１は、さらに、封水形成部２０８内の水に超音波を発振する超音波発振器２２２と、超音波発振器２２２の作動を制御する制御装置２４と、封水形成部２０８内の流路上に設けられ且つ網目を有する網かご（複数の孔を有するごみ捕捉部材。図示せず）を備えている。
【００６６】
超音波発振器２２２は、封水形成部２０８内の入口部２１４の下方に設けられている。超音波発振器２２２は、封水水位Ｗ０より下方に配置される。超音波発振器２２２は、上方に向けて超音波を発振するように配置されている。超音波発振器２２２は、発振中の発振周波数を一定に維持している。超音波発振器２２２は、制御装置２４と電気的に接続されている。なお、超音波発振器２２は、封水形成部１０８内の入口部１４の下方に設けられている。超音波発振器２２及び超音波発振器２２２が設けられることにより、封水形成部２０８がより効果的に超音波洗浄されるが、超音波発振器２２又は超音波発振器２２２の配置によっても封水形成部２０８は効果的に超音波洗浄される。よって、超音波発振器２２又は超音波発振器２２２のみが封水形成部２０８内に配置されていてもよい。また、超音波発振器２２２の位置は入口部２１４の下方に限られず、入口部２１４の下方から上昇部２１６ｂまでのいずれかの位置とすることができる。
【００６７】
制御装置２４は、超音波洗浄モードにより、シャワー水栓装置１０７及び／又は浴槽側水栓装置１０９からの吐水の開始と超音波洗浄の開始とを連動させることができる。
【００６８】
網かご（図示せず）は、封水形成部２０８の上流側部分に配置されている。網かご（図示せず）はごみ捕捉部材であり、複数の孔を有している。網かご（図示せず）は、入口部２１４の下方側の流路全体を覆うように形成される。網かご（図示せず）の上端は入口部２１４に配置されている。網かご（図示せず）は、水を通過させる一方、ごみ等の小物体を通過させずに内部に留めるようになっている。
【００６９】
上述した本発明の第３実施形態による排水システム２０１によれば、制御装置２４は、流量センサ２０による吐水される水の検知と連動して、超音波発振器２２２又は超音波発振器２２による発振を開始させ、浴槽側水栓装置１０９及び／又はシャワー水栓装置１０７からの吐水、例えば、浴槽の清掃、浴室の浴槽側の清掃等のための吐水の開始と、超音波洗浄の開始とを連動させる。これにより、使用者に超音波洗浄を行うタイミングを意識させることなく、浴室用水栓からの吐水の開始と連動して封水形成部の超音波洗浄を開始させることができる。また、制御装置２４は、浴室用水栓からの吐水の開始と超音波洗浄の開始とを連動させるので、排水システム２０１は、超音波洗浄用の水を封水形成部に別途供給しなくとも、浴室用水栓からの吐水、例えば浴槽の清掃、浴室の浴槽側の清掃等のための吐水等の通常の使用態様の吐水を利用して超音波洗浄を行うことができる。さらに、排水システム２０１は、浴室用水栓からの吐水により封水形成部２０８に水を供給し封水形成部２０８の超音波洗浄を行うことができるので、超音波洗浄用の水を浴室用水栓以外の専用の給水路から封水形成部に別途供給するための専用の給水路を省略することができる。
【００７０】
次に、図９及び図１０により、本発明の第４実施形態による排水システムを説明する。第４実施形態は、本発明による排水システムを洗面用水栓装置の洗面ボウルに適用した例である。図９は本発明の第４実施形態による排水システムを備えた洗面用水栓装置の斜視図である。図１０は図９のＸ−Ｘ線に沿って見た洗面用水栓装置の洗面ボウルの床面近傍部分の部分拡大断面図である。
【００７１】
第４実施形態による排水システム３０１は、上述した第１実施形態による排水システム１と基本構造が類似しているため、本発明の第４実施形態につき第１実施形態とは異なる点のみを説明し、同様な部分については図面に同じ参照符号を付して説明を省略する。本発明の第４実施形態による排水システム３０１の動作（作用）については、第１実施形態による排水システム１の動作（作用）と同様であるので説明を省略する。
【００７２】
排水システム３０１は、洗面化粧台３０２に設けられた水受け部である洗面ボウル３０４と、洗面ボウル３０４に水を吐水する洗面用水栓である洗面用水栓装置（吐水部）３０６と、洗面ボウル３０４の底部３０４ａから下方に延びる封水形成部３０８とを備えている。洗面ボウル３０４は、洗面化粧台用のボウルに限られず、手洗いができる程度の大きさの手洗いボウルを含む。洗面ボウル３０４は、洗面用水栓装置３０６から吐水された水を下流側に排出するように形成される。
【００７３】
洗面用水栓装置３０６は、上流側において、給水源（図示せず）から水が供給される水給水路１０及び、湯が供給される湯給水路１２に接続される。洗面用水栓装置３０６は、湯水混合部である湯水混合栓６ａを備え、水給水路１０からの水と、湯給水路１２からの湯とを湯水混合栓６ａにおいて混合し、吐水部３０６ｂから吐水させる。水給水路１０及び湯給水路１２は、湯水混合栓６ａに接続され、吐水側流路６ｃが湯水混合栓６ａから後述する流量センサ２０を通り、吐水部３０６ｂまで延びている。吐水部３０６ｂは、水を洗面ボウル３０４の上方の空間に吐水する。洗面用水栓装置３０６は、洗面ボウル３０４を介して、封水形成部３０８に水を供給する。
【００７４】
図１０に示すように、封水形成部３０８は、洗面ボウル３０４の下流側に設けられると共に封水を形成するように構成される。封水形成部３０８は、洗面ボウル３０４側に開口される入口部３１４と、入口部３１４の下流側に設けられる排水トラップ流路３１６とを備えている。入口部３１４は、底部３０４ａの一部が下方に窪むことにより形成されている。
【００７５】
排水トラップ流路３１６は、入口部３１４の下方に接続される接続部３１６ａと、排水トラップを形成するように下流側に向けて斜め上方に上昇する上昇部３１６ｂと、上昇部３１６ｂと下降部３１６ｄとの間における折り返し部分である頂部３１６ｃと、頂部３１６ｃから下降する下降部３１６ｄとを備えている。下降部３１６ｄは出口流路３１８と接続される。排水トラップ流路３１６は、トラップ形状の流路を形成し、その頂部３１６ｃにより封水水位Ｗ０を規定する。封水形成部３０８は、封水形成部３０８内に水が流入する場合には頂部３１６ｃを超える水が下流側に排出されるので、封水形成部３０８内に水が流入する場合に封水形成部３０８内の水位が封水水位Ｗ０に維持されるように形成される。
【００７６】
封水形成部３０８内に流入する水には、洗剤、シャンプー、ボディーソープ、石鹸、手洗いの汚れ、洗面ボウルの汚れ等のいずれかを含むような水、例えば生活排水も含まれる。出口流路３１８は、下降部３１６ｄから下向きに延びている。出口流路３１８は、さらに下流側の排水配管（図示せず）に接続される。出口流路３１８は、その一部が封水形成部３０８によって形成されていてもよい。
【００７７】
排水システム３０１は、さらに、洗面用水栓装置３０６から吐水される水を検知する検知部である流量センサ２０と、封水形成部３０８内の水に超音波を発振する超音波発振器２２と、超音波発振器２２の作動を制御する制御装置２４と、封水形成部３０８内の流路上に設けられ且つ網目を有する網かご（複数の孔を有するごみ捕捉部材。図示せず）を備えている。
【００７８】
流量センサ２０は、洗面用水栓装置３０６の湯水混合栓６ａよりも下流側に設けられ、湯水混合栓６ａと吐水部３０６ｂとの間に設けられる。流量センサ２０は、洗面用水栓装置３０６の吐水部３０６ｂから吐水される水の単位時間あたりの流量を検知できる。また、流量センサ２０は、単位時間あたりの流量を検知することにより、吐水部３０６ｂから吐水がなされることを検知できる。よって、流量センサ２０は、洗面用水栓装置３０６から供給される水流を検知し、洗面用水栓装置３０６からの水の供給を検知できる。流量センサ２０は、制御装置２４と電気的に接続されている。
超音波発振器２２は、封水形成部３０８内の入口部３１４の下方に設けられている。超音波発振器２２は、封水水位Ｗ０より下方に配置される。超音波発振器２２は、上方に向けて超音波を発振するように配置されている。超音波発振器２２は、発振中の発振周波数を一定に維持している。超音波発振器２２は、制御装置２４と電気的に接続されている。
【００７９】
制御装置２４は、超音波洗浄モードにより、洗面用水栓装置３０６からの吐水の開始と超音波洗浄の開始とを連動させることができる。
【００８０】
網かご（図示せず）は、封水形成部３０８の上流側部分に配置されている。網かご（図示せず）はごみ捕捉部材であり、複数の孔を有している。網かご（図示せず）は、入口部３１４の下方側の流路全体を覆うように形成される。網かご（図示せず）の上端は入口部３１４に配置されている。網かご（図示せず）は、水を通過させる一方、ごみ等の小物体を通過させずに内部に留めるようになっている。
【００８１】
上述した本発明の第４実施形態による排水システム３０１によれば、制御装置２４は、流量センサ２０による吐水される水の検知と連動して、超音波発振器２２による発振を開始させ、洗面用水栓装置３０６からの吐水、例えば、手洗い、洗顔、歯磨き、洗面ボウルの清掃等のための吐水の開始と、超音波洗浄の開始とを連動させる。これにより、使用者に超音波洗浄を行うタイミングを意識させることなく、洗面用水栓装置３０６からの吐水の開始と連動して封水形成部の超音波洗浄を開始させることができる。また、制御装置２４は、洗面用水栓装置３０６からの吐水の開始と超音波洗浄の開始とを連動させるので、排水システム３０１は、超音波洗浄用の水を封水形成部３０８に別途供給しなくとも、洗面用水栓装置３０６からの吐水、例えば手洗い、洗顔、歯磨き、洗面ボウルの清掃等のための吐水等の通常の使用態様の吐水を利用して超音波洗浄を行うことができる。さらに、排水システム３０１は、洗面用水栓からの吐水により封水形成部３０８に水を供給し封水形成部３０８の超音波洗浄を行うことができるので、超音波洗浄用の水を洗面用水栓以外の専用の給水路から封水形成部３０８に別途供給するための専用の給水路を省略することができる。
【符号の説明】
【００８２】
１        排水システム
２        キッチン
４        シンク
６ｂ      吐水部
８        封水形成部
２０      流量センサ
２２      超音波発振器
２４      制御装置
２６      網かご
１０１    排水システム
１０２    浴室
１０４    場床
１０５    浴槽
１０６ｂ  吐水部
１０７ｂ  吐水部
１０８    封水形成部
２０１    排水システム
２０８    封水形成部
２２２    超音波発振器
３０１    排水システム
３０４    洗面ボウル
３０８    封水形成部
Ａ        所定水量
Ｔ        所定時間
Ｕ        所定期間
Ｗ０      封水水位
【図１】
2020051040.tif 000003
【図２】
2020051040.tif 000004
【図３】
2020051040.tif 000005
【図４】
2020051040.tif 000006
【図５】
2020051040.tif 000007
【図６】
2020051040.tif 000008
【図７】
2020051040.tif 000009
【図８】
2020051040.tif 000010
【図９】
2020051040.tif 000011
【図１０】
2020051040.tif 000012